(57)【要約】      （修正有）【課題】開封装置のスパウトだけを加熱し、不要な箇所を加熱せず、装置の維持管理が簡易な注出口取付装置及び方法を提供する。【解決手段】注出口取付装置は、スパウトと、スパウト基部と一体化し被接着箇所に裏面で接着するフランジと、スパウトと螺合するキャップとからなる注出口２を補充する補充手段１２と、頂壁に破断容易に密封された開口を有する包装容器の本体を搬送する搬送手段１３と、搬送手段によって搬送される包装容器本体の接着位置４に、補充手段からの注出口を保持して供給するテーブル１４と、テーブルで保持された注出口のフランジ裏面を加熱する加熱手段１５と、包装容器本体の接着位置で注出口を接着する取付手段１６とを有し、フランジ裏面に導電性層が設けられ、加熱手段が誘導加熱コイルである。【選択図】図１
2011140208.tif 000002
【特許請求の範囲】
【請求項１】
スパウトと、スパウト基部と一体化し被接着箇所に裏面で接着するフランジと、該スパウトと螺合するスクリューキャップとからなる注出口を補充する補充手段と、頂壁に破断容易に密封された開口を有する包装容器の本体を搬送する搬送手段と、該搬送手段によって搬送される包装容器本体の接着位置に、該補充手段からの該注出口を保持して供給するテーブルと、該テーブルで保持された該注出口のフランジ裏面を加熱する加熱手段と、包装容器本体の接着位置で該注出口を接着する取付手段とを有し、
該フランジ裏面に導電性層が設けられ、該加熱手段が誘導加熱コイルである、
ことを特徴とする注出口取付装置。
【請求項２】
スパウトと、スパウト基部と一体化し被接着箇所に裏面で接着するフランジと、該スパウトと螺合するスクリューキャップとからなり、フランジ裏面に導電性層が設けられた注出口を準備し、該注出口をテーブルに補充手段で補充し、頂壁に破断容易に密封された開口を有する包装容器の本体を搬送手段で搬送し、該搬送手段によって搬送される包装容器本体の接着位置へ該注出口をテーブルで保持して供給し、該テーブルで保持された該注出口の該フランジ裏面を誘導加熱コイルの加熱手段で加熱し、包装容器本体の接着位置に該注出口を位置決めして押圧し取付手段で接着する、
ことを特徴とする注出口取付方法。
【発明の詳細な説明】
【技術分野】
【０００１】
本発明は、流動性食品などの液体用の容器に注出口を取付ける装置及び方法に関する。
【背景技術】
【０００２】
ジュースや牛乳、清涼飲料等の液体食品を収容する包装容器では、液体食品を繰り返し注出することができるように、包装容器本体の頂壁に注出口としての蓋、キャップなどが取り付けられている。
【０００３】
その取付けでは、先ず、頂壁上においてキャップを固着するための位置が設定される。キャップの裏側の所定箇所を加熱して溶融させ、キャップを設定固着位置に押し付けて固着するようにして注出口を取付ける。また、キャップの裏側の所定箇所と容器の頂壁との間に接着層／膜を形成し、キャップを設定固着位置に押し付けて固着するようにして注出口を取付ける。
キャップ取付装置においては、ベースコンベヤによって包装容器本体が搬送され、ベースコンベヤに臨ませてインデックステーブルが回転自在に配設される。また、ベースコンベヤに沿って、所定の領域に位置決めコンベヤが配設され、位置決めコンベヤには、各包装容器本体をベースコンベヤ上で所定のピッチで保持し、位置決めするためにパッケージホルダが配設される。なお、包装容器の種類によっては、容器頂壁の設定固着位置に、あらかじめ弱め線、開封容易域、タブなどが形成／固着される。
【０００４】
インデックステーブルの周縁部の複数箇所に、各キャップを保持するポケットが形成される。また、キャップ固着部が配設され、キャップ固着部の取付ヘッドは、キャップを、ポケットから取り出し、ベースコンベヤ上の所定の位置において、パッケージホルダによって保持された包装容器本体における設定固着位置に押し付けて固着する。（特許文献１参照）
【０００５】
ポリエチレンなどの熱可塑性樹脂製スパウトと、スパウト内に収納された切断刃と、スパウトに着脱自在に螺合するキャップとからなる開封装置が、レンガ状紙容器に取付けられるとき、例えば、ホットメルトで容器に接着される、若しくは、接着場所を加熱して容器に接着（ヒートシール）されている。このヒートシールは、例えば、スパウトをインデックスの加熱テーブルに送り、スパウトのフランジ下面をホットエアーで予備加熱をした後、微小水素炎のバーナー（マイクロフレーム）で加熱溶融し、次のステーションで加熱テーブルから取り出し、容器天面の所定箇所に圧接し、スパウトの加熱箇所で容器の外面ポリエチレンと溶着する。また、その溶着を促進させるため、容器天面も予備加熱することもある。
【先行技術文献】
【特許文献】
【０００６】
【特許文献１】特開２００１−２９３７９４号公報
【発明の概要】
【発明が解決しようとする課題】
【０００７】
しかしなが、高速で容器が搬送される場合、ホットメルトやマイクロフレームによる接着では、開封装置のスパウトのみならず、加熱テーブルでキャップを保持する周辺部分やホルダーも、ホットエアー及びマイクロフレームで不要な箇所も加熱され、この加熱不要な箇所の高温部によってスパウトに傷をつけたり、スパウト取扱いの際に発生するポリエチレンのダストが溶融してホルダーに付着し、定期的に清掃する必要がある等の不都合がある。
本発明は、上記の必要性、切望に応えるものであり、開封装置のスパウトだけを加熱し、不要な箇所を加熱せず、装置の維持管理が簡易な注出口取付装置及び方法を提供することを目的とする。
【課題を解決するための手段】
【０００８】
この課題を解決する本発明の注出口取付装置は、スパウトと、スパウト基部と一体化し被接着箇所に裏面で接着するフランジと、スパウトと螺合するキャップとからなる注出口を補充する補充手段と、頂壁に破断容易に密封された開口を有する包装容器の本体を搬送する搬送手段と、搬送手段によって搬送される包装容器本体の接着位置に、補充手段からの注出口を保持して供給するテーブルと、テーブルで保持された注出口のフランジ裏面を加熱する加熱手段と、包装容器本体の接着位置で注出口を接着する取付手段とを有し、
フランジ裏面に導電性層が設けられ、加熱手段が誘導加熱コイルである、
ことを特徴とする。
【０００９】
この課題を解決する本発明の注出口取付方法は、スパウトと、スパウト基部と一体化し被接着箇所に裏面で接着するフランジと、スパウトと螺合するキャップとからなり、フランジ裏面に導電性層が設けられた注出口を準備し、注出口をテーブルに補充手段で補充し、頂壁に破断容易に密封された開口を有する包装容器の本体を搬送手段で搬送し、搬送手段によって搬送される包装容器本体の接着位置へ注出口をテーブルで保持して供給し、テーブルで保持された注出口のフランジ裏面を誘導加熱コイルの加熱手段で加熱し、包装容器本体の接着位置に注出口を位置決めして押圧し取付手段で接着する、
ことを特徴とする。
【００１０】
この発明の好ましい態様において、フランジ裏面に設けられる導電性層が、フランジの射出成型時に金型内に挿入されたアルミ箔である。
【００１１】
この発明の好ましい態様において、フランジ裏面に設けられる導電性層が、フランジの裏側の所定箇所と容器の頂壁との間に配設したアルミ箔である。
【発明の効果】
【００１２】
以上の本発明によれば、以下の有利な作用を奏し顕著な効果が得られる。
この発明の注出口取付装置は、スパウトと、スパウト基部と一体化し被接着箇所に裏面で接着するフランジと、スパウトと螺合するキャップとからなる注出口を補充する補充手段と、頂壁に破断容易に密封された開口を有する包装容器の本体を搬送する搬送手段と、搬送手段によって搬送される包装容器本体の接着位置に、補充手段からの注出口を保持して供給するテーブルと、テーブルで保持された注出口のフランジ裏面を加熱する加熱手段と、包装容器本体の接着位置で注出口を接着する取付手段とを有する。
補充手段は、スパウトと、スパウト基部と一体化し被接着箇所に裏面で接着するフランジと、スパウトと螺合するキャップとからなる注出口を補充する。
スパウトから液体食品を注ぎ出すことができ、フランジによってスパウトが機械的に容器に固定することができ、キャップによってスパウトを衛生的に保護し、開封後の再封止を可能にする。補充手段は、この注出口をテーブルに供給して補充する。
【００１３】
この発明において、搬送手段は、頂壁に破断容易に密封された開口を有する包装容器の本体を搬送する。この搬送手段によって搬送される包装容器本体の接着位置に、テーブルが補充手段からの注出口を保持して供給する。
この発明において用いられる包装容器は、頂壁に破断容易に密封された開口を有する。この開口に注出口が設けられる。この開口は、容器頂壁に設けられた弱め線、紙層がパンチ穿孔により除去されその上下を押出ラミネートやパッチフィルムなどで密封された開封容易域などであり、タブなどで更に覆われてもよい。
この発明において、テーブルは、注出口を搬送すると共に、テイブル上で注出口への加熱処理のための、場所と時間を提供する。
【００１４】
この発明において、加熱手段が、補充手段から補充され、テーブルで保持された注出口のフランジ裏面を加熱する。この加熱により、注出口と容器とのヒートシールが可能になる。
この発明において、加熱手段は、誘導加熱コイルである。高周波磁場中で導電性物体が渦(うず)電流によって発熱する誘導加熱を可能にする為に、加熱されるべき箇所（フランジ裏面）には、導電性層が設けられ。
【００１５】
フランジ裏面に設けられる導電性層の態様には、フランジの射出成型時に金型内に挿入されたアルミ箔等の金属箔やアルミ蒸着膜などの金属蒸着膜など、フランジ裏面に設けられる導電性層が、フランジの裏側の所定箇所と容器の頂壁との間に配設したアルミ箔等の金属箔やアルミ蒸着膜などの金属蒸着膜など及び、これらの積層フィルムなどがある。
【００１６】
上記構成・特徴を有するこの発明によって、加熱が必要な開封装置のスパウト部分だけを加熱することができ、加熱が不要な箇所を加熱することがない。破断・切断刃などの少しの熱でも軟化・溶融の変形する箇所を加熱することがない。
上記構成・特徴を有するこの発明によって、ポリエチレンのダストが溶融して装置に付着することがなく、これによる頻繁な定期的が清掃が必要ではない。装置の維持管理が簡易である。
加熱が必要な開封装置のスパウト部分を均一に加熱することができる。
【００１７】
更に、この発明の注出口取付装置では、高周波磁場によって導電性層が直接的に発熱するので、短時間に効率よく加熱溶融して取付けることができる。
高周波磁場によって導電性層への直接的な誘導加熱は、マイクロフレームに比べ、温度設定が非常に簡単である。また、周辺環境、室温に対する悪影響がなく、立ち上がり時間が早いという利点を持つ。更に、集中加熱によるムラがなく、火災の危険性が少なく、掃除の手間がない。
【図面の簡単な説明】
【００１８】
【図１】図１は、この発明による注出口取付装置の一実施例の概略平面図である。
【図２】図２は、この発明に適用できる容器例の取付け前と取付け後の容器の斜視図である。
【図３】図３は、この発明に適用できる容器の別例の取付け前と取付け後の容器の斜視図である。
【図４】図４は、この発明による注出口取付装置の別の実施例の斜視図である。
【図５】図５は、この発明に適用できる注出口例の組立て、取付け、使用を説明する断面図である。
【発明を実施するための形態】
【００１９】
以下、本発明の実施の形態について図面を参照しながら詳細に説明する。
図１に示すの注出口取付装置の例では、円筒状の注出口２を補充する補充手段１２と、頂壁に破断容易に密封された開口４を有する包装容器１の本体を搬送する搬送手段１３（矢印として図示）と、搬送手段１３によって搬送される包装容器本体１の接着位置に、補充手段１２からの注出口２を保持して供給するテーブル１４と、テーブル１４で保持された注出口２のフランジ６裏面を加熱する加熱手段１５と、包装容器本体の接着位置で注出口を接着する取付手段１６（矢印で図示する）とを有する。
この態様では、図５に図示する円筒状の注出口２のフランジ６裏面に導電性層６Ａが設けられ、加熱手段１５が誘導加熱コイル１５Ａである。
【００２０】
図５に図示する円筒状の注出口２の実施態様では、キャップフランジ底面６Ａにインモールド成型などによってあらかじめアルミ箔を鋳込んでおき、キャップフランジを加熱手段１５のコイル１５Ａの上を通過させて発熱させ、アルミ箔隣接の熱可塑性樹脂のポリエチレンを溶融させて、ヒートシールする。
キャップフランジ６底面にアルミ箔（導電性層６Ａ）を設ける方法は、射出成型した注出口２のフランジ６底面に、ドーナッツ状にしたポリエチレン（ＰＥ）／アルミ箔／ＰＥの積層フィルムを熱接着する、あるいは、キャップフランジを射出成型するとき、金型内にドーナッツ状のＰＥ／アルミ箔／ＰＥの積層フィルムを挿入して成型する、いわゆるインモールド成型で製造する、などの方法で製造する。
ここで「インモールド成型」とは、の射出成型を行なう際に、金型内にフィルムを挟み込むことで、射出成形と同時に金型内でプラスチック表面にフイルムを積層する技術である。
【００２１】
図１に示すの注出口取付装置例の取付方法は、注出口２を準備し、注出口２をテーブル１４に補充手段１２で補充し、頂壁に破断容易に密封された開口４を有する包装容器１の本体を、ベルトコンベアの搬送手段１３で搬送し、搬送手段１３によって搬送される包装容器本体１の接着位置４へ注出口２をテーブル１４で保持して供給し、テーブル１４で保持された注出口２のフランジ６裏面を誘導加熱コイル１５Ａの加熱手段１５で加熱し、包装容器本体１の接着位置４に注出口２を位置決めして押圧し取付手段１６で接着する。
【００２２】
注出口２のフランジ６裏面を誘導加熱コイル１５Ａの加熱手段１５で加熱する。この注出口２の加熱は、アルミ箔を鋳込んだフランジ面がコイルの直近を通過することで行う。
注出口２は、補充手段１２のキャップ供給ホイールから加熱テーブル１４に連続的に送られる。注出口２は、ホルダー（図１で図示せず）で保持され、フランジがコイルの上面、例えば、６ｍｍほど、望ましくは３〜４ｍｍの間隔を置いて通過する。コイルは円弧状とし、コイルが形成する磁界内を注出口２に鋳込まれたドーナッツ状のアルミ箔が通過する。アルミ箔が円形であるため、注出口２を回転させなくても、均一な加熱が可能である。また、コイルの長さを、注出口２の加熱に必要な通過時間を得られるようにする。従来のマイクロフレーム加熱では必要であった、ホットエアーの予備加熱は、この発明の態様では不要となる。
【００２３】
次いで、包装容器本体１の接着位置４に注出口２を位置決めして押圧し取付手段１６で接着する。
フランジ下面が溶融した注出口２を、容器に圧接する方法は、従来のマイクロフレームのキャップアプリケーターと同じ方法も取れる。
図２及び図３に、この発明に使用できる包装容器１の例を図示する。この例では、容器本体と、容器頂壁３と、頂壁に破断容易に密封された開口４と、開口４にヒートシールされた注出口２とからなる。
【００２４】
図４に示すの注出口取付装置の例では、矩形の注出口２を補充する補充手段（図示せず）と、頂壁に破断容易に密封された開口４を有する包装容器１の本体を搬送するベルトコンベアの搬送手段１３と、搬送手段１３によって搬送される包装容器本体１の接着位置に、注出口２を保持して供給するテーブル１４と、テーブル１４で保持された注出口２のフランジ６裏面を加熱する加熱手段（図示せず）と、包装容器本体の接着位置で注出口を接着する取付手段１６とを有する。
【００２５】
この発明における注出口は、図５に示すように、スパウト７と、スパウト基部と一体化し被接着箇所に裏面で接着するフランジ６と、スパウト７と螺合するスクリューキャップ８とからなり、フランジ６裏面に導電性層６Ａを備える。
注出口の一例の組立て、取付け、使用を、図５を参照して、説明する。
図５（Ａ）に示すように、スクリューキャップ８を準備し、スパウト７と開封刃９との一体成形体とを合わせる。
図５（Ａ）に示すように、矢印方向に押してブリッジを破断し、図５（Ｂ）に示すように、開封刃９をスパウト７の注出筒内に嵌め込む。
図５（Ｂ）に示す矢印のようにキャップを注出筒の外周面に螺合させ、図５（Ｃ）に示す注出口栓２を得る。
図５（Ｄ）、（Ｅ）に示すように、注出口栓２を、スパウトのフランジ６を容器頂部の開口４の周りに、この発明の注出口取付け装置で、接合する。
使用時には、図５（Ｆ）に示すように、開封刃９は、スパウトに内蔵され、キャップ８の開封時の螺旋状上運動に連動して螺旋状に下方運動する。開封刃の下端刃１１は、注出孔３の破断可能な開口４の封止フィルムを破断する。
【００２６】
なお、本発明は前記実施の形態に限定されるものではなく、本発明の趣旨に基づいて種々変形させることが可能であり、それらを本発明の範囲から排除するものではない。
【産業上の利用可能性】
【００２７】
この発明は、ジュース、牛乳などの飲料を包装容器で包装充填する製造に適用することができる。
【符号の説明】
【００２８】
１  ・・  包装材料
２  ・・  注出口
４  ・・  開口
６  ・・  フランジ
７  ・・  スパウト
８  ・・  スクリューキャップ
１２  ・・補給手段
１４  ・・テーブル
１５  ・・加熱手段
１６  ・・取付手段
【図１】
2011140208.tif 000003
【図２】
2011140208.tif 000004
【図３】
2011140208.tif 000005
【図４】
2011140208.tif 000006
【図５】
2011140208.tif 000007